(57)【要約】【課題】比較的簡単な構造で、容易に製造できて、フランジ付ナットの落下を防ぎつつ、組み付け性と作業性の向上を図ることができる、ナット保持部材及びナット保持部材を用いた締結方法を提供する。【解決手段】フランジ付六角ナット２０を挿入口から受け入れて、切欠部１０ｃの周面をフランジ付六角ナット２０の六角形２０ａの対辺に当接させて回転を抑制するナット保持部材１０において、切欠部１０ｃを有する平面１０ａと、この平面１０ａの両側に接続する側面部１０ｂとから構成されており、側面部１０ｂの端面を被締結部材４０に固定する固定部１０ｆとすると共に、切欠部１０ｃの形状を、フランジ付六角ナット２０の六角形２０ａの対辺にそれぞれ当接する２つの平行面１０ｃａと、フランジ付六角ナット２０の六角形２０ａの頂点の一つに当接する位置決め面１０ｃｂとを有する形状にする。【選択図】図１
2018155312.tif 000002
【特許請求の範囲】
【請求項１】
フランジ付ナットを挿入口から受け入れて、切欠部の周面を前記フランジ付ナットの多角形外形の対辺に当接させて回転を抑制するナット保持部材において、
前記切欠部を有する平面と、この平面の両側に接続する側面部とから構成されており、前記側面部の端面を被締結部材に固定する固定部とすると共に、前記切欠部の形状を、前記フランジ付ナットの多角形外形の対辺にそれぞれ当接する２つの平行面と、前記フランジ付ナットの多角形外形の頂点の一つに当接する位置決め面とを有する形状にしていることを特徴とするナット保持部材。
【請求項２】
前記切欠部の形状を、さらに、前記平行面の前記フランジ付ナットの挿入側に向かって開口幅が拡大する案内面を設けて構成している請求項１に記載のナット保持部材。
【請求項３】
請求項１または２に記載のナット保持部材に挿入された前記フランジ付ナットとボルトで、前記被締結部材を締結していることを特徴とする締結構造。
【請求項４】
請求項１または２に記載のナット保持部材を用いて、前記被締結部材を前記フランジ付ナットとボルトで締結することを特徴とするナット保持部材を用いた締結方法。
【発明の詳細な説明】
【技術分野】
【０００１】
本発明は、ナット保持部材、締結構造、及びナット保持部材を用いた締結方法に関する。
【背景技術】
【０００２】
車両の組み立てにおいて、車両のフレーム等に部品や部材を固定する際にボルト・ナットによる締結作業が生じる。この際に、ナットを組付ける部分のクリアランスが狭かったり、締付前のナットが落下したりする恐れがある。
【０００３】
このようなボルト・ナットの締結作業において、ナットを手で差し入れて所定位置に保持することが困難な場合には、ナットを回転不能に保持するナット保持部材（ナットホルダ）を予め被締結部材側に配置しておいて、被締結部材を組み立ててから、作業員が手でナットを保持する代わりに、ナット保持部材にナットを挿入して、このナットをナット保持部材で保持したのち、ボルトを挿入して、ボルト側を締結工具などにより回転させることで締結作業を行っている。
【０００４】
このナット保持部材として、例えば、フランジ付六角ナットの二面幅（対辺間距離）より若干大きい幅寸法を有するとともに略上方に開口する切欠部と、ナットホルダの外周に沿って略半円状に設けられた取付用のフランジ部分とを備え、このフランジ部分がブラケット側板の後面に溶接固定された状態で、両者間の空間部にフランジ付六角ナットのつば部分（フランジ部分）を収納することで、フランジ付六角ナットを回転不能に保持するナット保持手段が提示されている（例えば、特許文献１参照）。
【先行技術文献】
【特許文献】
【０００５】
【特許文献１】実開平２−１２８６０８号公報
【発明の概要】
【発明が解決しようとする課題】
【０００６】
しかしながら、このナット保持手段では、フランジ付六角ナットの対辺を切欠部で保持させているが、ナット保持部材の取付用のフランジが略半円状に設けられており、製造工程が複雑になっているという問題がある。また、フランジ部分を除くナットの外形が多角形であるフランジ付ナットを挿入する際に、フランジ付ナットの挿入方向に対して、フランジ付ナットの外形の対辺が平行となるように挿入しないと、切欠部へのフランジ付ナットの挿入が困難であり、この挿入作業に手間が掛るという問題もある。
【０００７】
本発明は、上記のことを鑑みてなされたものであり、その目的は、比較的簡単な構造で、容易に製造できて、フランジ付ナットの落下を防ぎつつ、組み付け性と作業性の向上を図ることができる、ナット保持部材、締結構造、及びナット保持部材を用いた締結方法を提供することである。
【課題を解決するための手段】
【０００８】
上記の目的を達成するための本発明のナット保持部材は、フランジ付ナットを挿入口から受け入れて、切欠部の周面を前記フランジ付ナットの多角形外形の対辺に当接させて回転を抑制するナット保持部材において、前記切欠部を有する平面と、この平面の両側に接続する側面部とから構成されており、前記側面部の端面を被締結部材に固定する固定部とすると共に、前記切欠部の形状を、前記フランジ付ナットの多角形外形の対辺にそれぞれ当接する２つの平行面と、前記フランジ付ナットの多角形外形の頂点の一つに当接する位置決め面とを有する形状にして構成されている。
【０００９】
また、上記の目的を達成するための本発明の締結構造は、上記のナット保持部材に挿入された前記フランジ付ナットとボルトで、前記被締結部材を締結して構成される。
【００１０】
また、上記の目的を達成するための本発明のナット保持部材を用いた締結方法は、上記のナット保持部材を用いて、前記被締結部材を前記フランジ付ナットとボルトで締結することを特徴とする方法である。
【発明の効果】
【００１１】
本発明のナット保持部材、締結構造、及びナット保持部材を用いた締結方法によれば、比較的簡単な構造で、容易に製造できて、フランジ付ナットの落下を防ぎつつ、組み付け性と作業性の向上を図ることができる。
【図面の簡単な説明】
【００１２】
【図１】本発明に係る実施の形態のナット保持部材の構成を示す平面図である。
【図２】図１のナット保持部材の構成を示す正面図である。
【図３】図１及び図２のＹ１−Ｙ１の断面を示す側断面である。
【図４】本発明に係る実施の形態の締結構造、及び、ナット保持部材を用いた締結方法を説明するためのナット保持部材の平面図である。
【図５】本発明に係る実施の形態の締結構造、及び、ナット保持部材を用いた締結方法を説明するためのナット保持部材の正面図である。
【発明を実施するための形態】
【００１３】
以下、本発明に係る実施の形態のナット保持部材、締結構造、及びナット保持部材を用いた締結方法について、図面を参照しながら説明する。
【００１４】
図１〜図５に示すように、この本発明に係る実施の形態のナット保持部材１０は、フランジ付六角ナット２０を挿入口から受け入れて、切欠部１０ｃの周面をフランジ付六角ナット２０の六角形２０ａの対辺に当接させて回転を抑制するナット固定支持用の部材である。
【００１５】
このナット保持部材１０を、切欠部１０ｃを有する平面１０ａと、この平面１０ａの両側に接続する側面部１０ｂとから構成する。この構成により、四角形の平面材に切欠き部１０ｃを設けて、その両側を折り曲げるだけで、切欠部１０ｃを有する平面１０ａと、その両側の側面部１０ｂを形成して、ナット保持部材１０を非常に容易に製造できる。
【００１６】
また、側面部１０ｂの端面を被締結板４１の被締結板４１に固定する固定部１０ｆとする。これにより、ナット保持部材１０自体は、取付用のフランジ部分を持たないので、ナット保持部材１０が被締結板４１の上に占める面積並びにナット保持部材１０自体の体積及び重量を小さくすることができる。また、固定部１０ｆが直線状となるので、溶接などにより固定が簡単にでき、この部分の溶接が自動化し易くなる。
【００１７】
また、切欠部１０ｃの形状を、フランジ付六角ナット２０の六角形２０ａの対辺にそれぞれ当接する２つの平行面１０ｃａと、フランジ付六角ナット２０の六角形２０ａの頂点の一つに当接する位置決め面１０ｃｂとを有する形状に構成する。２つの平行面１０ｃａの面間の距離Ｂはフランジ付六角ナットの二面幅（対辺間距離）よりほんの僅か大きい距離とする。
【００１８】
この位置決め面１０ｃｂを六角形２０ａの面ではなく、六角形２０ａの頂点の一つに当接させることによりフランジ付六角ナット２０の位置決めをすることにしているので、六角形２０ａの面に当接する面で位置決めする場合に比べて、位置決め面１０ｃｂの製作精度を位置決め面１０ｃｂの中心部だけに絞ることができるので、ナット保持部材１０の製造が容易できるようになる。
【００１９】
さらに、この切欠部１０ｃの形状に関しては、平行面１０ｃａのフランジ付六角ナット２０の挿入側に向かって開口幅が拡大する案内面１０ｃｃを設けて、言い換えれば、切欠部１０ｃおいて、フランジ付六角ナット２０の六角形２０ａが挿入される側の平行面１０ｃａに面取りを施して、構成する。この案内面１０ｃｃを傾斜面や緩やかなカーブ面で形成することで、この六角形２０ａの切欠部１０ｃへの挿入時における六角形２０ａの向きや挿入方向に自由度が生じ、挿入作業を容易にすることができる。
【００２０】
また、本発明に係る実施の形態の締結構造は、上記のナット保持部材１０に挿入されたフランジ付六角ナット２０とボルト２１で、被締結部材４０を締結して構成される。
【００２１】
次に、本発明に係る実施の形態のナット保持部材を用いた締結方法について説明する。この方法は、上記のナット保持部材１０を用いて、被締結板部材４０をフランジ付六角ナット２０とボルト２１で締結する方法である。
【００２２】
図４及び図５に示すように、先ず、最初に、被締結部材４０における、フランジ付六角ナット２０側の被締結板４１に対して、ナット保持部材１０を固定部１０ｆを溶接などで固定する。その後、ナット保持部材１０を備えた被締結板４１とボルト２１側の被締結板４２及びその他の部材（図示を省略）を組み付けて、被締結部材４０を構成する。この組み付け後の締結作業時においては、ナット保持部材１０に対するフランジ付六角ナット２０の挿入方向Ａが、締結作業状態で上から下向きに、好ましくは斜め上から斜め下向きになっているようにナット保持部材１０を被締結板４１に固定することが、挿入の容易性と挿入後の落下防止の面から好ましい。
【００２３】
この組み付け後において、フランジ付六角ナット２０を、ナット保持部材１０の挿入方向Ａから挿入する。この挿入時において、案内面１０ｃｃを設けてある場合には、必ずしも、六角形２０ａの方向と挿入方向を厳密に挿入方向Ａに合わせる必要はなく、ツバ付六角ナット２０を、ナット保持部材１０に挿入すると、六角形２０ａが案内面１０ｃｃに沿って落下し、六角形２０ａの２面が平行面１０ｃａに当接し、六角形２０ａの頂点が位置決め面１０ｃｂに当接して位置決めされ、保持される。この保持状態では、フランジ付六角ナット２０のフランジ部分２０ｂは、ナット保持部材１０と被締結板４１との間の空間１０ｅの内部に収容されている状態となる。
【００２４】
この方法によれば、フランジ付六角ナット２０をナット保持部材１０に挿入するだけで、フランジ付六角ナット２０を所定の締結位置に位置決めでき、また、その回転を拘束できるので、反対側の被締結板４２側からボルト２１を挿入して、被締結板４１を挿通させて、フランジ付六角ナット２０に対し、ボルト２１を軸回り締付方向に回転させることにより、ボルト２１とフランジ付六角ナット２０により、被締結板４１、４２を有する被締結部材４０を締結することができる。
【００２５】
従って、上記の構成のナット保持部材１０及びナット保持部材を用いた締結方法によれば、比較的簡単な構造で、容易に製造できて、フランジ付六角ナット２０の落下を防ぎつつ、組み付け性と作業性の向上を図ることができる。
【符号の説明】
【００２６】
１０  ナット保持部材
１０ａ  切欠部を有する平面
１０ｂ  側面部
１０ｃ  切欠部
１０ｃａ  平行面
１０ｃｂ  位置決め面
１０ｃｃ  案内面
１０ｅ  ナット保持部材と被締結板との間の空間
１０ｆ  固定部
２０  フランジ付六角ナット
２０ａ  フランジ付六角ナットの六角形
２０ｂ  フランジ付六角ナットのフランジ部分
２１  ボルト
４０  被締結板部材
４１、４２  被締結板
Ａ  挿入方向
Ｂ  切欠部の平行面の面間の距離
【図１】
2018155312.tif 000003
【図２】
2018155312.tif 000004
【図３】
2018155312.tif 000005
【図４】
2018155312.tif 000006
【図５】
2018155312.tif 000007